(57)【要約】  【課題】  横撮り姿勢に保持した撮像装置によって縦長の画像を撮像することを可能とする。  【解決手段】  レンズ１０と、略長方形の撮像素子１１と、撮像素子１１が撮像した画像を表示する略長方形の表示部とを備える撮像装置に、レンズ１０及び撮像素子１１を前後に対向させて収容する収容筒１、表示部を側面に枢支する略直方体の本体部２とを備え、横撮り姿勢の撮像装置に対して撮像素子１１が縦長姿勢及び横長姿勢になるように、収容筒１を、レンズ１０の光軸を回動中心として本体部２の支持部２０に回動自在に取り付ける。【選択図】        図２
2005340948.tif 000002
【特許請求の範囲】
【請求項１】
レンズと、略長方形の撮像素子と、該撮像素子が撮像した画像を表示する表示部とを備える撮像装置において、
前記レンズ及び前記撮像素子を収容する収容体と、
前記表示部を有する本体部と
を備え、
前記収容体は、前記レンズの光軸を回動中心として前記本体部に回動自在に取り付けてあることを特徴とする撮像装置。
【請求項２】
レンズと、略長方形の撮像素子と、該撮像素子が撮像した画像を表示する表示部とを備える撮像装置において、
前記撮像素子を収容する収容体と、
前記レンズ及び前記表示部を有する本体部と
を備え、
前記収容体は、前記レンズの光軸を回動中心として前記本体部に回動自在に取り付けてあることを特徴とする撮像装置。
【請求項３】
前記収容体の回動範囲を略９０度に制限する制限手段を備え、
前記撮像素子は、
前記回動範囲の一端まで前記収容体を回動させた場合、横向きの表示部に対して縦向きとなり、前記回動範囲の他端まで前記収容体を回動させた場合、前記表示部に対して横向きとなるように配置してあることを特徴とする請求項１又は請求項２に記載の撮像装置。
【請求項４】
前記本体部を横撮りの姿勢に保持した状態で行う縦撮りの指示を受け付ける受付手段と、
該受付手段が前記指示を受け付けた場合、前記収容体を前記一端まで回動させる回動手段と
を備えることを特徴とする請求項３に記載の撮像装置。
【請求項５】
前記回動手段が前記収容体を前記一端まで回動させた場合、前記画像を略９０度回転させて前記表示部に表示する表示処理手段を備えることを特徴とする請求項４に記載の撮像装置。
【発明の詳細な説明】
【技術分野】
【０００１】
本発明は、デジタルビデオカメラ、又はデジタルカメラ等の撮像装置に関し、特に撮像装置の姿勢を保持したまま、縦撮り及び横撮りを行うことができる撮像装置に関する。
【背景技術】
【０００２】
図１０は、従来の撮像装置の外観を示す斜視図である。撮像装置は、被写体からの光を集光するレンズ及び略長方形の撮像素子２１１、例えば、アスペクト比が４／３のＣＣＤ、及び撮像素子２１１で撮像した画像を表示する略長方形の表示部２０３を有する本体部２０２を備えている（特許文献１）。
【０００３】
従来の撮像装置においては、図１０（ａ）に示すように、表示部２０３を横長姿勢にして撮像する横撮り、図１０（ｂ）に示すように表示部２０３を縦長姿勢にして撮像する縦撮りを行っていた。
【特許文献１】特開２００１−２１８０８７号公報
【発明の開示】
【発明が解決しようとする課題】
【０００４】
しかしながら、撮像装置は、表示部２０３を横長姿勢にして行う横撮りを基本的な撮像形態として想定しているため、撮像装置を横に倒して縦撮りする場合、撮像装置を正立させた状態で撮像する場合に比べて、撮像者は無理な撮像姿勢を強いられるという問題があった。
【０００５】
本発明は、斯かる事情に鑑みてなされたものであり、レンズ及び撮像素子を収容する収容体を、光軸を回動中心として表示部を備える本体部に回動自在に取り付けて撮像装置を構成することにより、本体部を横撮りの姿勢に保持したまま縦長の画像を撮像することができる撮像装置を提供することを目的とする。
【０００６】
また、撮像素子を収容する収容体を、レンズの光軸を回動中心として、レンズ及び表示部を備える本体部に回動自在に取り付けて撮像装置を構成することにより、本体部を横撮りの姿勢に保持したまま縦長の画像を撮像することができる撮像装置を提供することを他の目的とする。
【０００７】
更に、収容体の回動範囲を略９０度に制限する制限手段を備え、回動範囲の端まで収容体を回動させた場合、横撮り姿勢の本体部に対して撮像素子が縦向き又は横向きとなるように構成することにより、簡易に撮像素子を縦向き又は横向きに設定することができる撮像装置を提供することを他の目的とする。
【０００８】
更にまた、本体部を横撮りの姿勢に保持した状態で行う縦撮りの指示を受け付ける受付手段と、受付手段が前記指示を受け付けた場合、収容体を回動範囲の一端まで回動させて撮像素子を縦向きにする手段を備えることにより、本体部を横撮りの姿勢に保持したまま自動的に縦撮りを行うことができる撮像装置を提供することを他の目的とする。
【０００９】
更にまた、本体部に対して撮像素子が縦向きである場合、撮像した画像を略９０度回転させて表示部に表示する表示処理手段を備えることにより表示部に縦長の画像を表示することができる撮像装置を提供することを他の目的とする。
【課題を解決するための手段】
【００１０】
本発明に係る撮像装置は、レンズと、略長方形の撮像素子と、該撮像素子が撮像した画像を表示する表示部とを備える撮像装置において、前記レンズ及び前記撮像素子を収容する収容体と、前記表示部を有する本体部とを備え、前記収容体は、前記レンズの光軸を回動中心として前記本体部に回動自在に取り付けてあることを特徴とする。
【００１１】
本発明にあっては、レンズ及び略長方形の撮像素子を収容する収容体を、レンズの光軸を回動中心として、表示部を備える本体部に回動自在に取り付けることにより、横撮りの姿勢に保持した本体部に対して撮像素子を縦向き又は横向きにすることができる。従って、本体部を横撮りの姿勢に保持した状態のまま縦撮りを行うことができる。
【００１２】
本発明に係る撮像装置は、レンズと、略長方形の撮像素子と、該撮像素子が撮像した画像を表示する表示部とを備える撮像装置において、前記撮像素子を収容する収容体と、前記レンズ及び前記表示部を有する本体部とを備え、前記収容体は、前記レンズの光軸を回動中心として前記本体部に回動自在に取り付けてあることを特徴とする。
【００１３】
本発明にあっては、略長方形の撮像素子を収容する収容体を、レンズの光軸を回動中心として、レンズ及び表示部を備える本体部に回動自在に取り付けることにより、横撮りの姿勢に保持した本体部に対して撮像素子を縦向き又は横向きにすることができる。従って、本体部を横撮りの姿勢に保持した状態のまま縦撮りを行うことができる。
【００１４】
本発明に係る撮像装置は、前記収容体の回動範囲を略９０度に制限する制限手段を備え、前記撮像素子は、前記回動範囲の一端まで前記収容体を回動させた場合、横向きの表示部に対して縦向きとなり、前記回動範囲の他端まで前記収容体を回動させた場合、前記表示部に対して横向きとなるように配置してあることを特徴とする。
【００１５】
本発明にあっては、収容体の回動範囲を略９０度に制限する制限手段を備え、回動範囲の端まで収容体を回動させた場合、横長の表示部に対して撮像素子が縦向き及び横向きとなる。従って、収容体を回動範囲の端まで回動させることにより撮像素子を簡易に縦向き又は横向きにすることができる。
【００１６】
本発明に係る撮像装置は、前記本体部を横撮りの姿勢に保持した状態で行う縦撮りの指示を受け付ける受付手段と、該受付手段が前記指示を受け付けた場合、前記収容体を前記一端まで回動させる回動手段とを備えることを特徴とする。
【００１７】
本体部を横撮りの姿勢に保持した状態で行う縦撮りの指示を受付手段が受け付けた場合、回動手段が収容体を一端まで回動させる。従って、受付手段の操作により、自動的に撮像素子を横撮り姿勢の本体部に対して縦向きにすることができる。
【００１８】
本発明に係る撮像装置は、前記回動手段が前記収容体を前記一端まで回動させた場合、前記画像を略９０度回転させて前記表示部に表示する表示処理手段を備えることを特徴とする。
【００１９】
回動手段が収容体を一端まで回動させ、横長の表示部に対して撮像素子を縦向きにした場合、撮像した画像を略９０度回転させて表示部に表示する。従って、横長の表示部に被写体が正立した縦長の画像を表示させることができる。
【発明の効果】
【００２０】
本発明に係る撮像装置にあっては、本体部を横撮りの姿勢に保持したまま、収容体を回動させることにより縦撮りを行うことができる。
【００２１】
本発明に係る撮像装置にあっては、収容体を回動範囲の一端まで回動させることにより、横長の表示部に対して撮像素子を縦向きにし、縦撮りを行うことができる。
【００２２】
本発明に係る撮像装置にあっては、受付手段の操作により撮像素子を自動的に縦向きにし、縦撮りを行うことができる。
【００２３】
本発明に係る撮像装置にあっては、本体部を横撮りの姿勢に保持したまま縦撮りを行う場合、横長の表示部に被写体が正立した縦長の画像を表示させることができる。
【発明を実施するための最良の形態】
【００２４】
（実施の形態１）
以下、本発明に係る撮像装置を、その実施の形態を示す図面に基づいて詳述する。
【００２５】
図１は、本発明に係る撮像装置の略示斜視図であり、図２は、図１のII−II線断面図である。本発明に係る撮像装置は、レンズ１０及びアスペクト比が４／３の撮像素子１１を収容する収容筒１と、撮像素子１１で撮像された画像を表示する略長方形の表示部３と、中空略直方体の本体部２とを備えている。
【００２６】
収容筒１は、収容筒１の中心線と光軸とが一致するようにレンズ１０及び撮像素子１１を内部に収容しており、撮像素子１１は、レンズ１０の後方で収容筒１の内側に固定された円盤状の基板１１ａに支持されている。収容筒１の後端面外側中央部分には、回動筒１ａが光軸方向に突設されている。本体部２は、回動筒１ａが嵌入される嵌入孔２１を端面に有する有底円筒形の支持部２０を上側に有し、嵌入孔２１に嵌入された回動筒１ａは支持部２０に対して回動自在に支持されている。支持部２０は、本体部２及び収容筒１が全体として略直方体になるように形成されている。
【００２７】
嵌入孔２１に嵌入された回動筒１ａの、支持部２０内側の部分には嵌入孔２１より大径の抜け止め環１２が外嵌固定されており、抜け止め環１２は、回動筒１ａの中心軸方向の移動を係止して回動筒１ａの嵌入孔２１からの抜け落ちを防止している。回動筒１ａには、本体部２内部に設けられている制御部６（図５参照）と撮像素子１１とを接続する図示しないリード線が通じている。
【００２８】
支持部２０は、収容筒１を本体部２に対して回動させる回動機構を備えている。回動機構は、回動筒１ａの端部に外嵌固定された大歯車５ａと、大歯車５ａに噛合する小歯車５ｂと、小歯車５ｂを出力軸に備え、本体部２の適宜箇所に固定されたモータ５ｃとから構成される。モータ５ｃが回転した場合、モータ５ｃの回転は小歯車５ｂ及び大歯車５ａを介して回動筒１ａに減速伝達され、収容筒１は本体部２に対して回動する。
【００２９】
本体部２は、レンズ１０に向かって右側面２３に表示部３を開閉自在に枢支している。右側面２３の支持部２０寄りには、撮像装置の電源スイッチ４ａと、本発明に係る縦撮り及び横撮りの相互切り替え兼用の切り替えボタン４ｂと、シャッターボタン４ｃとが設けられている。
【００３０】
図３は、図２のIII−III線断面図、図４は、図２のIV−IV線断面図である。支持部２０が有する嵌入孔２１の内側には弧状の溝部２２が形成されてあり、回動筒１ａの外周面には、溝部２２に嵌め込まれ、溝部２２に沿って回動する凸状のストッパ１ｂが突設されている。回動筒１ａは、図３（ａ）に示すように、ストッパ１ｂが溝部２２の一端２２ａに当接した状態から、図３（ｂ）に示すように、ストッパ１ｂが溝部２２の他端２２ｂに当接した状態まで回動することができる。
【００３１】
ストッパ１ｂが溝部２２の一端２２ａに当接している場合、図４（ａ）に示すように撮像素子１１が縦長姿勢となり、ストッパ１ｂが溝部２２の他端２２ｂに当接している場合、図４（ｂ）に示すように撮像素子１１が横長姿勢になるように、回動筒１ａは支持部２０に支持されている。撮像素子１１が縦長姿勢にある場合、撮像素子１１の長辺と表示部３の長辺とが略垂直となり、撮像素子１１が横長姿勢にある場合、撮像素子１１の長辺と表示部３の長辺とが略平行となる。
【００３２】
支持部２０は、ストッパ１ｂが溝部２２の一端２２ａにあることを検出する第１フォトインタラプタ６ｅ、及び溝部２２の他端２２ｂにあることを検出する第２フォトインタラプタ６ｆを備えている。後述する制御部６は、第１及び第２フォトインタラプタ６ｅ、６ｆによってストッパ１ｂの位置を検出して、モータ５ｃの回転を制御する。
【００３３】
図５は、撮像装置の構成を示すブロック図である。撮像装置は、モータ５ｃに電力を供給し、モータ５ｃを駆動するモータ駆動部５ｄを備えており、モータ駆動部５ｄは制御部６により制御される。また制御部６の制御により、撮像素子１１は、レンズ１０により撮像素子１１の受光面に結像した像を電気信号に変換し、変換された信号を撮像信号処理部６ａに出力する。撮像信号処理部６ａは、撮像素子１１の撮像信号をデジタルの画像データにＡＤ変換するＡＤコンバータであり、ＡＤ変換した画像データは画像処理部６ｂに出力される。画像処理部６ｂは、一時記憶用のメモリ６ｃを備え、メモリ６ｃに撮像信号処理部６ａでＡＤ変換された画像データを記憶させて画像データに係る画像を略９０度回転させる処理を行う。撮像装置は、画像処理部６ｂで画像処理された画像の画像データを半導体メモリ又はＤＶＤ等の記録媒体７に記録し、記録した画像データを再生する記録再生部６ｄを備えている。また、画像処理部６ｂで画像処理された画像は、表示部３に出力され、表示される。画像処理部６ｂで画像処理されない場合、ＡＤ変換された画像データに係る画像がそのまま表示部３に表示される。
【００３４】
電源スイッチ４ａ、切り替えボタン４ｂ、及びシャッターボタン４ｃは、制御部６が操作状態を検出することができるように構成されている。
【００３５】
次に、本発明に係る制御部６の処理手順を説明する。図６及び図７は、制御部６の処理手順を示すフローチャートである。まず、電源スイッチ４ａがオンになった場合、制御部６は、撮像素子１１が縦長姿勢にあるか否かを示すフラグＦに値０を設定する（ステップＳ１）。そして、制御部６は切り替えボタン４ｂの状態を検出し、切り替えボタン４ｂが押されているか否かを判定する（ステップＳ２）。切り替えボタン４ｂが押されていると判定した場合（ステップＳ２：ＹＥＳ）、制御部６はフラグＦの値が０であるか否かを判定する（ステップＳ３）。
【００３６】
フラグＦの値が０であると判定した場合（ステップＳ３：ＹＥＳ）、制御部６はフラグＦに値１を設定し（ステップＳ４）、モータ５ｃを所定数回転させて、ストッパ１ｂが一端２２ａ側のＡ方向に回動すように回動筒１ａを回動させる（ステップＳ５）。次いで、制御部６は第１フォトインタラプタ６ｅが遮光状態にあるか否かを判定する（ステップＳ６）。第１フォトインタラプタ６ｅが遮光状態にあると判定した場合（ステップＳ６：ＹＥＳ）、制御部６は、モータ５ｃの回転制御を終え、撮像信号をＡＤ変換するステップＳ１０の処理を行う。第１フォトインタラプタ６ｅが遮光状態にないと判定した場合（ステップＳ６：ＮＯ）、制御部６は処理をステップＳ５に戻す。
【００３７】
ステップＳ５、Ｓ６の処理により、撮像素子１１が縦長姿勢になるまで収容筒１は本体部２に対して回動する。
【００３８】
フラグＦの値が０でないと判定した場合（ステップＳ３：ＮＯ）、制御部６はフラグＦに値０を設定し（ステップＳ７）、モータ５ｃを所定数回転させて、ストッパ１ｂが他端２２ｂ側のＢ方向に回動するように回動筒１ａを回動させる（ステップＳ８）。次いで、制御部６は、第２フォトインタラプタ６ｆが遮光状態にあるか否かを判定する（ステップＳ９）。第２フォトインタラプタ６ｆが遮光状態にあると判定した場合（ステップＳ９：ＹＥＳ）、制御部６は、モータ５ｃの回転制御を終え、撮像信号をＡＤ変換するステップＳ１０の処理を行う。第２フォトインタラプタ６ｆが遮光状態にないと判定した場合（ステップＳ９：ＮＯ）、制御部６は処理をステップＳ８に戻す。
【００３９】
ステップＳ８、Ｓ９の処理により、撮像素子１１が横長姿勢になるまで収容筒１は本体部２に対して回動する。
【００４０】
ステップＳ２において、切り替えボタン４ｂが押されていないと判定した場合（ステップＳ２：ＮＯ）、制御部６は撮像素子１１に結像している像を撮像信号に変換する。そして、制御部６は撮像信号処理部６ａによって撮像信号をデジタルの画像データにＡＤ変換し、ＡＤ変換した画像データをメモリ６ｃに記憶させる（ステップＳ１０）。
【００４１】
次いで、制御部６はフラグＦの値が１であるか否かを判定する（ステップＳ１１）。フラグＦの値が１であると判定した場合（ステップＳ１１：ＹＥＳ）、制御部６は、横長姿勢の表示部３に縦長の画像全体を表示するために、ＡＤ変換されメモリ６ｃに記憶された画像データに係る画像を略９０度回転させ、縮小した画像を生成し、メモリ６ｃに記憶させる。（ステップＳ１２）。アスペクト比が４／３の表示部３に縦長画像を表示される場合、略９０度回転させた画像を３／４倍に縮小する。
【００４２】
ステップＳ１２で画像の回転を終えた場合、又はステップＳ１１においてフラグＦの値が１でないと判定した場合（ステップＳ１１：ＮＯ）、制御部６はメモリ６ｃに記憶されている画像データを表示部３に送り、画像データに係る画像を表示部３に表示させる（ステップＳ１３）。フラグＦの値が０である場合、ステップＳ１０で撮像された画像がそのまま表示部３に表示され、フラグＦの値が１である場合、ステップＳ１２で画像処理された画像が表示部３に表示される。
【００４３】
次いで制御部６はシャッターボタン４ｃの状態を検出し、シャッターボタン４ｃが押されているか否かを判定する（ステップＳ１４）。シャッターボタン４ｃが押されていると判定した場合（ステップＳ１４：ＹＥＳ）、メモリ６ｃが記憶している画像データを記録媒体７に記録する（ステップＳ１５）。
【００４４】
ステップＳ１５で画像データの記録を終えた場合、又はステップＳ１４において、シャッターボタン４ｃが押されていないと判定した場合（ステップＳ１４：ＮＯ）、制御部６は、電源スイッチ４ａの状態を検出し、電源スイッチ４ａがオンの状態にあるか否かを判定する（ステップＳ１６）。電源スイッチ４ａがオンの状態にあると判定した場合（ステップＳ１６：ＹＥＳ）、制御部６は処理をステップＳ２に戻す。
【００４５】
電源スイッチ４ａがオンの状態にないと判定した場合（ステップＳ１６：ＮＯ）、制御部６は、モータ５ｃを回転させ、回動筒１ａをＢ方向に回動させる（ステップＳ１７）。次いで、制御部６は、第２フォトインタラプタ６ｆが遮光状態にあるか否かを判定する（ステップＳ１８）。第２フォトインタラプタ６ｆが遮光状態にあると判定した場合（ステップＳ１８：ＹＥＳ）、制御部６は処理を終える。第２フォトインタラプタ６ｆが遮光状態にないと判定した場合（ステップＳ１８：ＮＯ）、制御部６は処理をステップＳ１７に戻す。
【００４６】
このように構成される撮像装置にあっては、フラグＦが０の場合、つまり撮像素子１１が横長姿勢の場合に切り替えボタン４ｂが押されたとき、Ｓ５及びＳ６の処理によって回動筒１ａは本体部２に対してＡ方向に回動し、ストッパ１ｂは溝部２２の一端２２ａまで回動する。ストッパ１ｂが溝部２２の一端２２ａにある場合、撮像素子１１が縦長姿勢となる。また、フラグＦが１の場合、つまり撮像素子１１が縦長姿勢の場合に切り替えボタン４ｂが押されたとき、Ｓ８及びＳ９の処理によって回動筒１ａは本体部２に対してＢ方向に回動し、撮像素子１１が横長姿勢の状態に戻る。従って、切り替えボタン４ｂの操作により撮像装置を横撮り姿勢に保持したまま、縦撮り及び横撮りを行うことができる。
【００４７】
図８は、表示部３に表示される画像を示す模式図である。図８（ａ）は、撮像素子１１を横長姿勢に、図８（ｂ）は、撮像素子１１を縦長姿勢にして被写体を撮像した場合に、表示部３に表示される画像である。フラグＦが１であり、横長姿勢の表示部３に対して撮像素子１１が縦長である場合、Ｓ１２及びＳ１３の処理によって画像が略９０度回転されて表示部３に表示される。従って、横長姿勢の表示部３に縦撮りされた縦長画像が表示される。
【００４８】
なお、本実施の形態にあっては、モータを用いて収容筒１を回動させているが、手動で収容筒１を回動させるように構成しても良い。
【００４９】
また、溝部２２及びストッパ１ｂを設けて回動筒１ａの回動範囲を略９０度の範囲に制限しているが、ストッパ１ｂ及び溝部２２を設けず、回動範囲を制限しない構成であっても良い。
【００５０】
（実施の形態２）
図９は、実施の形態２に係る撮像装置の略示側断面図である。実施の形態２に係る撮像装置は、撮像素子１１を収容する収容筒１０１と、収容筒１０１と同径でありレンズ１０を収容するレンズ収容筒１２４とを備えている。収容筒１０１の端面外側中央部には回動筒１０１ａが突設されている。回動筒１０１ａは、本体部１０２の支持部１２０が有する嵌入孔１２１に挿通しており、収容筒１０１は、光軸を回動中心として本体部１０２に対して回動自在に支持されている。
【００５１】
レンズ収容筒１２４は、収容筒１０１の前側に位置するように本体部１０２の上側に設けられており、レンズ収容筒１２４の中心軸とレンズ１０の光軸とが一致するようにレンズ１０を収容している。
【００５２】
収容筒１０１のレンズ収容筒１２４側の環状の端部は、内側部分がレンズ収容筒１２４方向に突出し、レンズ収容筒１２４の環状端部１２４ａと嵌合する嵌合部１０１ｃを有している。レンズ収容筒１２４の収容筒１０１側の環状端部１２４ａは、外側部分が収容筒１０１方向に突出しており、突出した部分は、嵌合部１０１ｃと嵌合している。
【００５３】
実施の形態２に係る撮像装置のその他の構成は、実施の形態１に示した構成と同様であるので、同様な箇所には同様な符号を付して、詳細な説明を省略する。
【００５４】
実施の形態２に係る撮像装置にあっては、切り替えボタンの操作により、撮像素子を収容する収容筒は本体部の支持部及びレンズ収容筒に対して回動し、撮像素子は横撮り姿勢の本体部に対して横長姿勢及び縦長姿勢になる。従って、撮像装置を横撮り姿勢に保持したまま、縦撮り及び横撮りを行うことができる。
【図面の簡単な説明】
【００５５】
【図１】本発明に係る撮像装置の略示斜視図である。
【図２】図１のII−II線断面図である。
【図３】図２のIII−III線断面図
【図４】図２のIV−IV線断面図である。
【図５】撮像装置の構成を示すブロック図である。
【図６】制御部の処理手順を示すフローチャートである。
【図７】制御部の処理手順を示すフローチャートである。
【図８】表示部に表示される画像を示す模式図である。
【図９】実施の形態２に係る撮像装置の略示側断面図である。
【図１０】従来の撮像装置の外観を示す斜視図である。
【符号の説明】
【００５６】
１  収容筒
２  本体部
３  表示部
４ａ  電源スイッチ
４ｂ  切り替えボタン
４ｃ  シャッターボタン
５ａ  大歯車
５ｂ  小歯車
５ｃ  モータ
５ｄ  モータ駆動部
６  制御部
６ｂ  画像処理部
６ｅ  第１フォトインタラプタ
６ｆ  第２フォトインタラプタ
１０  レンズ
１１  撮像素子
２０  支持部
【図１】
2005340948.tif 000003
【図２】
2005340948.tif 000004
【図３】
2005340948.tif 000005
【図４】
2005340948.tif 000006
【図５】
2005340948.tif 000007
【図６】
2005340948.tif 000008
【図７】
2005340948.tif 000009
【図８】
2005340948.tif 000010
【図９】
2005340948.tif 000011
【図１０】
2005340948.tif 000012